(57)【特許請求の範囲】
【請求項１】
第１物体及び第２物体を接続することに適用し、前記第１物体及び前記第２物体の相対位置を固定する固定装置であって、前記固定装置は、
本体を含み、前記本体上に複数の第１通孔を貫通設置し、且つ前記本体が第１支持アーム及び第２支持アームを延伸設置し、前記第１支持アームが前記第２支持アームに対応し、前記第１支持アーム上に前記第１固定部材を移動可能に配置し、前記第２支持アームが固定面を有し、前記第１固定部材が前記固定面に対応し、前記第１固定部材が前記固定面に合わせて前記第１物体を挟持する第１挟持具と、
環体を含み、前記環体の一端に接続アームを延伸設置し、前記接続アーム上に第２通孔を貫通設置し、前記複数の第１通孔がそれぞれ前記第２通孔と対応し、前記環体の他端が第２固定部材を移動可能に配置し、前記第２固定部材が前記本体に対応し、前記第２固定部材が前記本体に合わせて前記第２物体を挟持する第２挟持具と、
前記複数の第１通孔の何れか１つ及び前記第２通孔に分離可能に突進し、これにより、前記環体が取り外し可能に前記本体に固定接続される嵌合栓と、
を含む固定装置。
【請求項２】
前記接続アームが第１接続アーム及び第２接続アームを含み、前記第１接続アーム及び前記第２接続アームが互いに対立し、前記第２通孔がそれぞれ前記第１接続アーム及び前記第２接続アーム上に位置し、前記本体が前記第１接続アーム及び前記第２接続アームの間に挟まれ、且つ凹溝を有し、前記複数の第１通孔が前記凹溝中に配列され、前記第１接続アーム及び/又は前記第２接続アームは凸縁を有し、前記第２通孔が前記凸縁を貫通し、前記凸縁及び前記凹溝の形状が相対して補い合い、前記凸縁が前記凹溝に収容される請求項１に記載の固定装置。
【請求項３】
前記凹溝は、それぞれ第１方向及び第２方向に沿ってそれぞれ延伸し、前記第１通孔は、それぞれ前記第１方向及び前記第２方向に沿って前記凹溝中に配列される請求項２に記載の固定装置。
【請求項４】
前記嵌合栓は、嵌合部材を延伸設置し、前記第２通孔は、前記第２接続アーム上の前記本体に相対する他側に開口を有し、前記嵌合部材は、前記開口を通過し、且つ前記開口の周縁に係止される請求項２に記載の固定装置。
【請求項５】
前記嵌合栓は、円柱体を含み、前記円柱体は、前記複数の第１通孔のうちの１つ及び前記第２通孔中に対応して貫通設置され、前記嵌合部材は、前記円柱体の末端に位置し、且つ長軸及び短軸を有し、前記開口は、第１幅及び第２幅を有し、前記第１幅は、前記長軸長さに等しいか、それより大きく、前記第２幅は、前記短軸の長さに等しいか、それより大きく且つ前記長軸の長さより小さく、前記嵌合部材の前記長軸上の両端は、前記開口の周縁に係止される請求項４に記載の固定装置。
【請求項６】
前記第１固定部材は、第１ロッド体及び圧接板を含み、前記第１支持アームは、第３通孔を貫通設置し、前記第１ロッド体は、前記第３通孔中に移動可能に配置され、前記圧接板は、前記第ロッド体に接続し、且つ前記第１支持アーム及び前記第２支持アームの間に位置し、前記圧接板は、前記固定面と相互に対応する請求項１に記載の固定装置。
【請求項７】
前記第２固定部材は、第２ロッド体及び圧接体を含み、前記圧接体の両側にそれぞれ圧接柱を有し、前記２つの圧接柱は、前記環体の両側に相対して配置され、前記環体は、第４通孔を貫通設置し、前記圧接体の前記２つの圧接柱の間に第５通孔を貫通設置し、前記第５通孔及び前記第４通孔は、軸方向に位置合わせされ、前記第２ロッド体は、前記第４通孔中に移動可能に配置され、且つ前記第２ロッド体は、前記第５通孔により前記圧接体に回転可能に枢着し、前記本体は、辺壁を有し、前記２つの圧接柱の末端にそれぞれ前記辺壁に向き合う圧接部を有し、前記圧接部は、前記辺壁と相互に対応する請求項１に記載の固定装置。
【発明の詳細な説明】
【技術分野】
【０００１】
本発明は、固定装置に関し、特に、第１物体及び第２物体の相対位置を固定する固定装置に関する。
【背景技術】
【０００２】
ビーチ、屋外カフェ等の場所では、しばしば大型のパラソルが見られ、この種のパラソルは、通常、固定底台によりそれを固定している。前記固定底台は、地上に安置する円盤状構造体であり、その中央に孔を有し、パラソルの中央ロッド末端をこの孔中に挿入し、このように、パラソルを固定することができる。前記固定底台は、卓面中央又は椅子辺縁に嵌合する管状体を用いることもでき、同様に、パラソルの中央ロッド末端は、この管状体を挿入する孔を用いて、パラソルを固定することができる。
【０００３】
しかしながら、何れの形式の固定底台であるかに関わらず、そのパラソルを挿入させる孔の口径は、通常固定されているので、適用するロッド末端の径方向の直径は、前記口径と合致するよう限定しなければならない。また、前記固定底台は、地上に安置することに用いる場合、十分な重さ及び体積を有する必要があり、そうして初めてパラソルが傾くことを防止することができるので、運搬及び保管に不便であり、且つ消費する材料コストも高くなっている。前記固定底台は、テーブル又は椅子上に嵌め込む場合、通常は、取り外しが不可能であるか、取り外しが不便であり、即ち、日除けが必要ない場合、例えば、夜間又はテーブル又は椅子を室内に移動して使用する等の状況において、パラソルが取り外し可能であったとしても、固定底台は、取り外し不可能又は取り外し困難であり、見苦しいだけでなく、不便となる。
【発明の概要】
【発明が解決しようとする課題】
【０００４】
これに鑑みて、本発明の目的は、第１挟持具及び第２挟持具の相互の組み合わせにより、より多くの状況に適用することができる固定装置を提示することにある。
【課題を解決するための手段】
【０００５】
上記の目的を達成する為、本発明が提示する固定装置は、第１物体及び第２物体を接続することに適用し、第１物体及び第２物体の相対位置を固定し、固定装置は、第１挟持具、第２挟持具及び嵌合栓を含む。第１挟持具は、本体を含み、本体上に複数の第１通孔を貫通設置し、且つ本体が第１支持アーム及び第２支持アームを延伸設置し、第１支持アームは、第２支持アームに対応し、第１支持アーム上に第１固定部材を移動可能に配置し、第２支持アームは、固定面を有し、第１固定部材は、固定面に対応し、第１固定部材は、固定面に合わせて第１物体を挟持する。第２挟持具は、環体を含み、環体の一端に接続アームを延伸設置し、接続アーム上に第２通孔を貫通設置し、これら第１通孔は、それぞれ第２通孔と対応し、環体の他端は、第２固定部材を移動可能に配置し、第２固定部材は、本体に対応し、第２固定部材は、本体に合わせて第２物体を挟持する。嵌合栓は、これら第１通孔の何れか１つ及び第２通孔に分離可能に突進し、これにより、環体は、取り外し可能に本体に固定接続される。
【０００６】
本発明の実施例において、前記接続アームは、第１接続アーム及び第２接続アームを含み、第１接続アーム及び第２接続アームが互いに対立し、第２通孔は、それぞれ第１接続アーム及び第２接続アーム上に位置し、本体は、第１接続アーム及び第２接続アームの間に挟まれ、且つ凹溝を有し、前記第１通孔は、凹溝中に配列され、第１接続アーム及び/又は第２接続アームは凸縁を有し、第２通孔は、凸縁を貫通し、凸縁及び凹溝の形状は、相対して補い合い、凸縁は、凹溝に収容される。
【０００７】
本発明の実施例において、前記凹溝は、それぞれ第１方向及び第２方向に延伸し、前記第１通孔は、それぞれ第１方向及び第２方向に沿って凹溝中に配列される。
【０００８】
本発明の実施例において、前記嵌合栓は、嵌合部材を延伸設置し、前記第２通孔の第２接続アーム上の本体に相対する他側に開孔を有し、嵌合部材が開孔を通過し、且つ開口の周縁に係止される。
【０００９】
本発明の実施例において、前記嵌合栓は、円柱体を含み、円柱体は、前記第１通孔のうちの１つ及び第２通孔中に対応し且つ貫通設置され、嵌合部材は、円柱体の末端に位置し、且つ長軸及び短軸を有し、該開口は、第１幅及び第２幅を有し、第１幅は、実質上長軸長さに等しいか、それより大きく、第２幅は、実質上短軸長さに等しいか、それより大きく且つ長軸長さより小さく、嵌合部材の長軸上の両端が開口の周縁に係止する。
【００１０】
本発明の実施例において、前記第１固定部材は、第１ロッド体及び圧接板を含み、第１支持アームは、第３通孔を貫通設置し、第１ロッド体は、第３通孔中に移動可能に配置され、圧接板は、第１ロッド体に接続し、且つ第１支持アーム及び第２支持アームの間に位置し、圧接板は、固定面と相互に対応する。
【００１１】
本発明の実施例において、前記第２固定部材は、第２ロッド体及び圧接体を含み、圧接体の両側は、それぞれ圧接柱を有し、該２つの圧接柱は、環体の両側に相対して配置され、環体は、第４通孔を貫通設置し、圧接体は、該２つの圧接注の間に第５通孔を貫通設置し、第５通孔及び第４通孔は、軸方向に位置合わせされ、第２ロッド体は、第４通孔中に移動可能に配置され、第２ロッド体は、第５通孔を介し、圧接体に回転可能に枢着され、本体は、辺壁を有し、該２つの圧接注の末端にそれぞれ辺壁に向き合う圧接部を有し、圧接部が辺壁と相互に対応する。
【発明の効果】
【００１２】
本発明が提示する固定装置は、調整可能な第１挟持具及び第２挟持具を有し、更に、第１挟持具及び第２挟持具の相対位置を変化させることができるので、この固定装置の適用性及び利便性を大幅に向上することができる。
【図面の簡単な説明】
【００１３】
【図１】本発明の好適実施例の固定装置の分解図である。
【図２】本発明の好適実施例の嵌合栓の説明図である。
【図３】本発明の好適実施例の第２挟持具の環体の説明図である。
【図４】本発明の好適実施例の第１挟持具の本体の説明図である。
【図５】本発明の好適実施例の第１固定部材の説明図である。
【図６】本発明の好適実施例の第２固定部材の説明図である。
【図７】本発明の好適実施例の固定装置の第１種接続形態の説明図である。
【図８】本発明の好適実施例の固定装置の第２種接続形態の説明図である。
【発明を実施するための形態】
【００１４】
本発明の目的、特徴及び利点を当業者に分かり易くする為、以下に好適実施例を挙げ、図面に合わせ、詳細を説明する。
【００１５】
図１を参照し、図１は、本発明の好適実施例の固定装置を示す分解図である。固定装置１０は、第１物体及び第２物体(図示せず)を接続し、第１物体及び第２物体の相対位置を固定することに適用する。固定装置１０は、第１挟持具１００、第２挟持具２００及び嵌合栓３００を含む。第１挟持具１００は、本体１１０を含み、本体１１０は、第１支持アーム１１１及び第２支持アーム１１２を延伸設置し、第１支持アーム１１１は、第２支持アーム１１２に対応する。第１支持アーム１１１上に第１固定部材１２０を移動可能に配置し、第２支持アーム１１２は、固定面１１３を設置し、第１固定部材１２０は、固定面１１３に対応し、第１固定部材１２０は、固定面１１３を合わせ、第１物体を挟持することに用い、第１挟持具１００を第１物体上に固定させ、前記第１物体を、例えば、テーブルの辺縁又は手すりの上縁に固定させる。
【００１６】
第２挟持具２００は、環体２１０を含み、環体２１０の一端は、本体１１０に接続し、環体２１０の他端は、第２固定部材２２０に移動可能に配置され、第２固定部材２２０は、本体１１０に対応し、第２固定部材２２０は、本体１１０を合わせ、第２物体を挟持することに用いることができ、前記第２物体は、例えば、パラソルの中央ロッドである。また、本実施例において、環体２１０は、嵌合栓３００を介し、本体１１０に取り外し可能に接続し、即ち、第１挟持具１００及び第２挟持具２００は、相互に一体に固定接続され、相互に分離することもできる。その他の実施例において、環体及び本体は、相互に固定接続され、取り外し不可能にするか、一体に成形し、第１挟持具及び第２挟持具の接続形態を変化させることができないようにすることもできる。
【００１７】
図１〜図４を同時に参照し、図２が示すのは、本発明の好適実施例の嵌合栓の説明図であり、図３が示すのは、本発明の好適実施例の第２挟持具の環体の説明図であり、図４が示すのは、本発明の好適実施例の第１挟持具の本体の説明図である。本体１１０の両側面に互いに対立し且つ互いに対称な凹溝１１４を有し、本体１１０は、複数の第１通孔１０１を貫通設置し、第１通孔１０１は、凹溝１１４中に位置する。具体的には、第１通孔１０１は、本体１１０の両側面の凹溝１１４に貫通配置される。凹溝１１４は、それぞれ第１方向及び第２方向に沿って延伸し、本実施例において、第１方向が図面に示すＸ方向であり、第２方向が図面に示すＹ方向であり、Ｘ方向がＹ方向と直交する。そのうち、第１通孔１０１は、Ｘ方向及びＹ方向に沿って凹溝１１４中に配列される。
【００１８】
環体２１０の一端は、接続アームを延伸設置し、接続アームは、第１接続アーム２１１及び第２接続アーム２１２を含む。第１接続アーム２１１は、第２接続アーム２１２と互いに対立して設置され、且つ第１接続アーム２１１上及び第２接続アーム２１２上にそれぞれ相互に延伸する凸縁２１３を有する。凸縁２１３及び凹溝１１４の形状は、相対して補い合い、且つ２つの凸縁２１３の間の間隔は、本体１１０の二側の凹溝１１４の間の厚さに略等しく、従って、２つの凸縁２１３は、それぞれ２側の凹溝１１４中に収容され、即ち、本体１１０は、第１接続アーム２１１及び第２接続アーム２１２の間に挟まれることができる。また、凸縁２１３及び凹溝１１４は、相互に組み合わさり、本体１１０及び環体２１０のＸ−Ｙ方向上の相対位置を制限することができる。凹溝１１４の辺縁は、本体に垂直な方向に側壁１１５を延伸設置し、本実施例において、側壁１１５は、それぞれＺ方向及びマイナスＺ方向に延伸する。側壁１１５は、第１接続アーム２１１及び第２接続アーム２１２の側辺に対応し、それは、本体１１０及び環体２１０のＸ−Ｙ方向上の相対変位の制限において、補助効果を発揮することができる。その他の実施例において、凸縁は、第１接続アーム又は第２接続アーム上にのみ設置することもでき、凹溝は、本体の前記凸縁に相対する一側面上にのみ設置することもできる。
【００１９】
第１接続アーム２１１及び第２接続アーム２１２上にそれぞれ第２通孔２０２を貫通設置し、第２通孔２０２は、凸縁２１３を貫通する。複数の第１通孔１０１は、それぞれこの２つの第２通孔２０２と互いに対応し、言い換えれば、第１接続アーム２１１及び第２接続アーム２１２に位置する第２通孔２０２は、第１通孔１０１の何れか１つに選択的に軸方向に位置合わせし、嵌合栓３００を既に軸方向に位置合わせされた第１通孔１０１及び第２通孔２０２中に分離可能に突進させることができる。
【００２０】
嵌合栓３００は、嵌合部材３１０、円柱体３２０及び把手３３０を含み、嵌合部材３１０は、円柱体３２０の末端に位置し、把手３３０が円柱体３２０の頭端に位置する。本実施例において、嵌合部材３１０は、矩形体であり、それは、長軸３１１及び短軸３１２を有する。円柱体３２０は、第１通孔１０１及び第２通孔２０２に対応し、円柱体３２０は、既に軸方向に位置合わせされた第２通孔２０２及び第１通孔１０１の中に突進され、設置されることができる。そのうち、第２通孔２０２は、第２接続アーム２１２上の本体１１０に相対する他側に開口２０３を有し、円柱体３２０は、第１通孔１０１及び第２通孔２０２中に完全に進入し、嵌合部材３１０は、開口２０３を通過し、且つ開口２０３の周縁に係止する。
【００２１】
本実施例において、開口２０３は、矩形であり、且つ第１幅２０３１及び第２幅２０３２を有し、第１幅２０３１は、実質上長軸３１１の長さに等しく、第２幅２０３２は、実質上短軸３１２の長さに等しく且つ長軸３１１の長さより小さく、嵌合部材３１０の長軸３１１上の両端は、開口２０３の周縁に係止される。その他の実施例において、第１幅は、長軸の長さより大きいことができ、第２幅は、短軸３１２の長さより大きいことができるが、第２幅は、長軸の長さより小さい必要がある。具体的には、円柱体３２０は、第２支持アーム２１２上の第２通孔２０２に突進する時、把手３３０を介し、円柱体３２０を回転させ、嵌合部材３１０の長軸３１１を開口２０３の第１幅２０３１の方向に位置合わせさせ、続いて、嵌合部材３１０を開口２０３に完全に通過させた後、再度、円柱体３２０を回転させ、嵌合部材３１０の長軸３１１上の両端を開口２０３の周縁上に係止させることができる。これにより、嵌合栓３００、環体２１０及び本体１１０を相互に嵌合し、第１挟持具１００及び第２挟持具２００の互いのＸ、Ｙ及びＺ方向上の相対変位が固定される。
【００２２】
図４及び図５を同時に参照し、図５が示すのは、本発明の好適実施例の第１固定部材の説明図である。第１固定部材１２０は、第１ロッド体１２１、圧接体１２２及び把手１２３を含み、第１支持アーム１１１は、第３通孔１０３を貫通設置し、第１ロッド体１２１は、第３通孔１０３中に移動可能に配置され、把手１２３は、第１ロッド体１２１の一端を接続し、圧接板１２２は、第１ロッド体１２１の他端を接続し且つ第１支持アーム１１１及び第２支持アーム１１２の間に位置され、圧接板１２２は、固定面１１３と相互に対応する。第１ロッド体１２１は、外ねじ山を有し、第３通孔１０３は、内ねじ山を有し（図示せず）、前記外ねじ山は、前記内ねじ山と相互に対応する。これにより、時計回り又は反時計回り方向に把手１２３を回転させることによって、第１ロッド体１２１の外ねじ山は、第３通孔１０３の内ねじ山を合わせ、第１ロッド体１２１を第３通孔１０３中で前後移動させ、連帯して圧接板１２２が固定面１１３に接近又は離脱することができる。このように、第１固定部材１２０は、第１物体の厚さに対し、調整を行い、第１物体を堅固に挟持することができる。
【００２３】
図１、図３及び図６を同時に参照し、図６が示すのは、本発明の好適実施例の第２固定部材の説明図である。第２固定部材２２０は、第２ロッド体２２１、圧接体２２２、把手２２５及び頸部２２６を含み、頸部２２６は、第２ロッド体２２１及び把手２２５を接続し、固定することに用いる。圧接体２２２の両側にそれぞれ圧接注２２３を有し、圧接体２２２は、この２つの圧接柱２２３の中間に第５通孔２０５を貫通設置し、第５通孔２０５は、頸部２２６に対応する。頸部２２６は、第５通孔２０５中に枢着することができる。従って、第２ロッド体２２１及び把手２２５は、圧接体２２２に相対し、相互の間に回転自由度を有する。
【００２４】
環体２１０は、接続アームの他端に第４通孔２０４を貫通設置し、第５通孔２０５及び第４通孔２０４は、軸方向に位置合わせされ、第２ロッド体２２１は、第５通孔を通過した後、第４通孔２０４に穿合し、第４通孔２０４中に移動可能に配置される。同時に、２つの圧接柱２２３は、環体２１０の両側に相対して配置される。第２ロッド体２２１は、外ねじ山を有し、第４通孔２０４は、内ねじ山を有し、前記外ねじ山及び前記内ねじ山が相互に対応する。これにより、時計回り又は反時計回り方向に把手２２５を回転させ、第２ロッド体２２１の外ねじ山は、第４通孔２０４の内ねじ山を合わせ、第２ロッド体２２１を第４通孔中で前後移動させることができる。図１が示すＸ，Ｙ及びＺ方向を参照し、把手２２５及び第２ロッド体２２１は、Ｙ方向又はマイナスＹ方向に沿って移動し、圧接柱２２３は、把手２２５及び第２ロッド体２２１により連動され、Ｙ方向又はマイナスＹ方向に沿って移動する。また、把手２２５及び第２ロッド体２２１がＸ及びＺ方向に時計回り又は反時計回りに回転する時、環体２１０は、圧接柱２２３を係止し、圧接柱２２３のＸ及びＺ方向上の回転を制限する。
【００２５】
本体１１０は、辺壁１３０を有し、圧接柱２２３の末端は、それぞれ側壁１３０に向き合う圧接部２２４を有し、圧接部２２４は辺壁１３０と相互に対応する。辺壁１３０は、第１凹面１３１を有し、圧接部２２４は、第２凹面２２４１を有し、第１凹面１３１及び凹面２２４１は、相互に対応し、且つ対称となる。第２凹面２２４１は、把手２２５及び第２ロッド体２２１により連動され、第１凹面１３１に接近又は離脱し、前記第２物体を挟持又は分離することができる。また、第１凹面１３１及び第２凹面２２４１は、何れもその両側から中央へ内向きに傾斜した構造であるので、第１凹面１３１及び第２凹面２２４１は、相互に組み合わさり、柱体の挟持に適用することができる。また、把手２２５を回転させ、第１凹面１３１及び第２凹面２２４１の間の距離を調整する以外に、更に異なる第１通孔１０１を接続することによって調整することができる。
【００２６】
図１及び図７を同時に参照し、図７が示すのは、本発明の好適実施例の固定装置の第１種接続形態の説明図であり、図７は、図１が示す固定装置１０を例とする。固定装置１０の第１挟持具１００及び第２挟持具２００は、実質上相互に垂直な接続形態であり、そのうち、環体２１０の第１接続アーム２１１及び第２接続アーム２１２は、Ｙ方向に沿って本体１１０の溝１１４に進入し、嵌合栓３００を介し、環体２１０を本体１１０に固定される。この種の接続形態の固定装置１０は、パラソルをテーブルの辺縁に固定することに適用でき、具体的には、先ず第１挟持具１００をテーブルの辺縁に嵌合し、それから、第１固定部材１２０を調整し、固定装置１０をテーブルの辺縁に挟持固定し、続いて、パラソルの中央ロッドを第２挟持具２００の環体２１０の中空部に通過させ、それから、第２固定部材２２０を調整し、ロッドを挟持固定する。
【００２７】
同時に図１及び図８を参照し、図８が示すのは、本発明の好適実施例の固定装置の第２接続形態の説明図であり、図８は、図１が示す固定装置１０を例とする。固定装置１０の第１挟持具１００及び第２挟持具２００は、実質駅に相互に平行な接続形態であり、そのうち、環体２１０の第１接続アーム２１１及び第２接続アーム２１２は、Ｘ方向に沿って本体１１０の溝体１１４に進入し、嵌合栓３００を介し、環体２１０を本体１１０に固定する。この種の接続形態の固定装置１０は、パラソルを手すりの上縁に固定することに適用でき、具体的には、先ず第１挟持具１００を下向きに手すりの上縁に嵌合し、それから、第１固定部材１２０を調整し、固定装置１０を手すりの上縁に挟持固定し、続いて、パラソルの中央ロッドを第２挟持具２００の環体２１０の中空部に通過させ、それから、第２固定部材２２０を調整し、ロッドを挟持固定する。
【００２８】
上記のように、本発明が提示する固定装置が有する第１挟持具及び第２挟持具は、異なる接続形態に組み立てできるだけでなく、その第１固定部材及び第２固定部材が必要に応じて調整することもできるので、この固定装置の適用性及び便利性を大幅に向上することができる。
【００２９】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３０】
１０      固定装置
１００    第１挟持具
１０１    第１通孔
１０３    第３通孔
１１０    本体
１１１    第１支持アーム
１１２    第２支持アーム
１１３    固定面
１１４    凹溝
１１５    側壁
１２０    第１固定部材
１２１    第１ロッド体
１２２    圧接板
１２３    把手
１３０    辺壁
１３１    第１凹面
２００    第２挟持具
２０２    第２通孔
２０３    開口
２０３１  第１幅
２０３２  第２幅
２０４    第４通孔
２０５    第５通孔
２１０    環体
２１１    第１支持アーム
２１２    第２支持アーム
２１３    凸縁
２２０    第２固定部材
２２１    第２ロッド体
２２２    圧接体
２２３    圧接柱
２２４    圧接部
２２４１  第２凹面
２２５    把手
２２６    頸部
３００    嵌合栓
３１０    嵌合部材
３１１    長軸
２１３    短軸
３２０    円柱体
３３０    把手
【要約】
【課題】固定装置を提供する。
【解決手段】本発明が提示する固定装置は、第１挟持具、第２挟持具及び嵌合栓を含む。第１挟持具は、本体を含み、本体上に複数の第１通孔を貫通設置し、且つ本体が第１支持アーム及び第２支持アームを延伸設置し、第１支持アーム上に第１固定部材を有し、第２支持アームは、固定面を有し、第１固定部材は、固定面に合わせて第１物体を挟持する。第２挟持具は、環体を含み、環体の一端に接続アームを延伸設置し、接続アーム上に第２通孔を貫通設置し、環体の他端は、第２固定部材を有し、第２固定部材は、本体に合わせて第２物体を挟持する。嵌合栓は、これら第１通孔の何れか１つ及び第２通孔に分離可能に突進し、これにより、環体は、取り外し可能に本体に固定接続される。
【選択図】  図１【図１】
0005487515.tif 000002
【図２】
0005487515.tif 000003
【図３】
0005487515.tif 000004
【図４】
0005487515.tif 000005
【図５】
0005487515.tif 000006
【図６】
0005487515.tif 000007
【図７】
0005487515.tif 000008
【図８】
0005487515.tif 000009